(57)【要約】【課題】収納時の週の性および使用時の快適性を阻害することなく、テーブルとしての剛性を高めた折り畳みテーブルの構造を提供する。【解決手段】第１〜第４脚部素子３１ａ〜３４ａは、天板素子１〜４の側板１１〜１４の高さ寸法を有するが、１対の第１脚部素子３１ａと１対の第４脚部素子を、第１天板素子１と第４天板素子４の長手方向片側部の幅方向両端部に長手方向の回動可能にそれぞれ連結し、第２脚部素子３２ａと第３脚部素子３３ａを、第２天板素子２と第３天板素子３の幅方向片側部の長手方向片側部に幅方向の回動可能にそれぞれ連結するようにして、折り畳まれた状態で、第１脚部素子３１ａと第２脚部素子３２ａとが干渉することがなく、第３脚部素子３３ａと第４脚部素子３４ａとが干渉することがないように構成される。【選択図】図３
2015053992.tif 000002
【特許請求の範囲】
【請求項１】
直列に配置された矩形板状で４つの天板素子からなる天板と、該天板素子にそれぞれ備えられた４つの脚構造とを備え、
前記４つの天板素子のそれぞれは、天板の長手方向および幅方向において同じ寸法を有し、かつ、それぞれの裏面の天板の長手方向の両端部に設けられた１対の長手方向側板と、該長手方向側板と同一の高さ寸法を有し、天板の幅方向の両端部に設けられた１対の幅方向側板とを備えており、
該４つの天板素子のうち、第１天板素子と第２天板素子とは、および、第３点板素子と第４天板素子とは、それぞれ互いの表面同士が同一面上に存在する状態と、互いの裏面同士が対向した状態とを移行可能に第１ヒンジにより連結されており、
第２天板素子と第３天板素子とは、互いの表面同士が同一面上に存在する状態で、かつ、第１天板素子および第２天板素子の裏面同士および第３天板素子および第４天板素子の裏面同士が対向するように折り畳まれた状態から、第１天板素子の表面と第４天板素子の表面とが対向するように折り畳まれた状態に移行可能に第２ヒンジにより連結されており、
前記４つの脚構造のうち、第１脚部は、第１天板素子の前記側板の高さ寸法よりも大きな外径を有し、第１天板素子の裏面側の天板の幅方向両端部で、天板の長手方向一端部に、展開状態と折りたたみ状態の間で天板の長手方向に回動可能に連結された上端部をそれぞれ備える１対の第１脚部素子を備え、
第２脚部は、第２天板素子の前記側板の高さ寸法よりも大きな外径を有し、第２天板素子の裏面側の天板の長手方向他端部で、天板の幅方向一端部に、展開状態と折りたたみ状態の間で天板の幅方向に回動可能に連結された上端部を備える第２脚部素子を備え、
第３脚部は、第３天板素子の前記側板の高さ寸法よりも大きな外径を有し、第３天板素子の裏面側の天板の長手方向一端部で、天板の幅方向他端部に、展開状態と折りたたみ状態の間で天板の幅方向に回動可能に連結された上端部を備える第３脚部素子を備え、
第４脚部は、第４天板素子の前記側板の高さ寸法よりも大きな外径を有し、第４天板素子の裏面側の天板の幅方向両端部で、天板の長手方向他端部に、展開状態と折りたたみ状態の間で天板の長手方向に回動可能に連結された上端部をそれぞれ備える１対の第４脚部素子を備え、
折り畳まれた状態で、第１脚部素子と第２脚部素子とが干渉することがなく、第３脚部素子と第４脚部素子とが干渉することがないように構成されている、
折り畳みテーブル。
【請求項２】
第１脚部を構成する前記１対の第１脚部素子のそれぞれの上端部は、第１天板素子の幅方向側板の内側面の天板の長手方向一端部に連結され、
第２脚部を構成する第２脚部素子の上端部は、第２天板素子の長手方向他端側の前記長手方向側板の内側面の天板の幅方向一端部に連結され、
第３脚部を構成する第３脚部素子の上端部は、第３天板素子の長手方向一端側の前記長手方向側板の内側面の天板の幅方向他端部に連結され、かつ、
第４脚部を構成する前記１対の第４天板素子のそれぞれの上端部は、第４天板素子の幅方向側板の内側面の天板の長手方向他端部に連結されている、
請求項１に記載の折り畳みテーブル。
【請求項３】
第２脚部素子の上端部は、折り畳まれた状態で、第２天板素子の幅方向一端側の幅方向側板の内側面からオフセットして配置され、天板の幅方向一端側に配置された第１脚部素子の下端部は、折り畳まれた状態で、第２天板素子の幅方向一端側の幅方向側板の内側面と第２脚部素子の上端部との間に挿入可能に構成され、
第３脚部素子の上端部は、折り畳まれた状態で、第３天板素子の幅方向他端側の幅方向側板の内側面からオフセットして配置され、天板の幅方向他端側に配置された第４脚部素子の下端部は、折り畳まれた状態で、第３天板素子の幅方向他端部の幅方向側板の内側面と第３脚部素子の上端部との間に挿入可能に構成されている、
請求項１または２に記載の折り畳みテーブル。
【請求項４】
第１脚部は、前記１対の第１脚部素子のそれぞれの中間部と、第１天板素子の裏面の長手方向一端部の幅方向中央部とを連結し、かつ、第１脚部素子とともに回動可能に固定されている、１対の第１補強部材をさらに備え、
第４脚部は、前記１対の第４脚部素子のそれぞれの中間部と、第４天板素子の裏面の長手方向他端部の幅方向中央部とを連結し、かつ、第４脚部素子とともに回動可能に結合されている、１対の第４補強部材をさらに備え、
第１脚部素子の上端部および第１補強部材の前記幅方向中央部側の結合部は、折り畳まれた状態で、第１天板素子の長手方向一端側の長手方向側板の内側面からオフセットして配置され、第２脚部素子の径方向一部は、折り畳まれた状態で、第１天板素子の長手方向一端側の長手方向側板の内側面と、第１脚部素子の上端部および第１補強部材の前記幅方向中央部側の結合部との間に入り込むことが可能に、かつ、
第４脚部素子の上端部および第４補強部材の前記幅方向中央部側の結合部は、折り畳まれた状態で、第４天板素子の長手方向他端側の長手方向側板の内側面からオフセットして配置され、第３脚部素子の径方向一部は、折り畳まれた状態で、第４天板素子の長手方向他端側の長手方向側板の内側面と、第４脚部素子の上端部および第４補強部材の前記幅方向中央部側の結合部との間に入り込むことが可能に構成されている、
請求項１〜３のいずれかに記載の折り畳みテーブル。
【発明の詳細な説明】
【技術分野】
【０００１】
本発明は、屋外で使用可能な折り畳みテーブル、特に、四つ折りテーブルに関する。
【背景技術】
【０００２】
キャンプ時など屋外で使用可能なテーブルには、携帯性が要求される。このため、このようなテーブルは、天板を複数の天板素子をヒンジで連結した構成とし、かつ、それぞれの天板素子の裏面もしくは天板素子を構成する側板にヒンジで脚構造を折り畳み可能に連結した構造が採用されている。
【０００３】
屋外用のテーブルにおいては、使用時において展開状態にある天板の大きさが大きい方が利便性の面で有利であり、かつ、収納時において、より小さく折り畳めることが運搬性の面で有利である。このため、天板が二つ折りのテーブルよりも、四つ折りのテーブルとすることがより有利である。
【０００４】
特許第３７４８７３６号公報には、図６（Ａ）〜（Ｃ）に示すような、第１天板素子１、第２天板素子２、第３天板素子３、および、第４天板素子４の４つの天板素子と、それぞれの天板素子１〜４の裏面の外周を囲むように形成され、高さ方向に伸張する側板１１〜１４と、第３天板素子を除く天板素子１、２、４のそれぞれの裏面側の側板１１、１２、１４で囲まれる空間内へ収納可能に取り付けられ、それぞれ１対の脚２１ａ、２２ａ、２４ａを有する、３つの脚構造２１、２２、２４とを備えた四つ折りテーブルが開示されている。この四つ折りテーブルでは、第１天板素子１と第２天板素子２とが、および、第３天板素子３と第４天板素子４とが、それぞれ第１ヒンジ５により、展開時にはそれぞれの表面が同一水平面上に位置し、かつ、収納時には裏面を向き合わせて畳まれるように枢着される。また、第２天板素子２および第３天板素子３は、第２ヒンジにより展開時にはそれぞれの表面が同一水平面上に位置し、かつ、収納時には、第２天板素子２に対して折り畳まれた第１天板素子１と、第３天板素子３に対して折り畳まれた第４天板素子４の表面が対向した状態に折り畳まれるように枢着される。
【０００５】
この四つ折りテーブルでは、４つの天板素子１〜４を展開することにより、使用時に広いテーブル面が得られ、かつ、天板全体を６本の脚で支えることにより、広いテーブル面に掛かる荷重を十分に支承することが可能である。また、４本の脚構造で同じ大きさのテーブル面に掛かる荷重を支承する場合と比較して、揺動や震動を小さく抑えることができ、安定した使用状態を提供できる
【０００６】
しかしながら、このような折り畳みテーブルにおいては、収納時に、脚構造２１、２２、２４を、相互に干渉させることなく、天板の裏面側の側板１１、１２、１４で囲まれる空間内へ収納する必要がある。このため、従来の折り畳みテーブルでは、脚構造２１、２２、２４を構成する脚２１ａ、２２ａ、２４ａの外径は、側板１１、１２、１４の高さ寸法（天板素子１、２、４の裏面から側板１１、１２、１４の端縁部までの距離）よりも小さくなるように制限されている。このため、６本以上の脚によりテーブル面に掛かる荷重を支承する場合でも、それぞれの脚の外径が十分に大きくなく、得られる安定性も脚の外径に応じたレベルに制限される。側板１１、１２、１４の高さ寸法を大きくすることにより、脚２１ａ、２２ａ、２４ａの脚の外径を増大させることは可能であるが、この場合には、収納時のテーブルの厚さが大きくなりすぎて、運搬や収納に支障が出るばかりか、使用時にも天板の重量が重くなりすぎるため、脚や天板素子を枢着するヒンジの強度を上げたり、脚構造の剛性をさらに高めたりする必要が生ずる。
【０００７】
特開２０１１―１５９４５号公報には、収納時の脚構造の相互干渉を回避するために、天板素子の大きさを異ならせた折り畳みテーブルの構造が開示されている。しかしながら、この構造では、天板全体としての大きさを犠牲にしており、使用時における快適性が損なわれる。また、収納時にも、裏面側の一部が脚構造とともに露出し、収納時にこれらの露出部がその収納性を阻害する可能性もある。この技術は、脚が４本の場合に限定されており、脚を６本以上備えた構造に直ちに適用できるわけではない。
【先行技術文献】
【特許文献】
【０００８】
【特許文献１】特許第３７４８７３６号公報
【特許文献２】特開２０１１−１５９４５号公報
【発明の概要】
【発明が解決しようとする課題】
【０００９】
本発明は、収納時の収納性および使用時の快適性を阻害することなく、テーブルとしての剛性を高めた折り畳みテーブルの構造を提供することを目的とする。
【課題を解決するための手段】
【００１０】
本発明の折り畳みテーブルは、直列に配置された矩形板状で４つの天板素子からなる天板と、該天板素子にそれぞれ備えられた４つの脚構造とを備える。
【００１１】
前記４つの天板素子のそれぞれは、天板の長手方向および幅方向において実質的に同じ寸法を有し、かつ、それぞれの裏面の天板の長手方向の両端部に設けられた１対の長手方向側板と、該長手方向側板と実質的に同一の高さ寸法を有し、天板の幅方向の両端部に設けられた１対の幅方向側板とを備えている。
【００１２】
前記４つの天板素子のうち、第１天板素子と第２天板素子とは、および、第３点板素子と第４天板素子とは、それぞれ互いの表面同士が同一面上に存在する状態と、互いの裏面同士が対向した状態とを移行可能に第１ヒンジにより連結されている。
【００１３】
第２天板素子と第３天板素子とは、互いの表面同士が同一面上に存在する状態で、かつ、第１天板素子および第２天板素子の裏面同士および第３天板素子および第４天板素子の裏面同士が対向するように折り畳まれた状態から、第１天板素子の表面と第４天板素子の表面とが対向するように折り畳まれた状態に移行可能に第２ヒンジにより連結されている。
【００１４】
前記４つの脚構造のうち、第１脚部は、第１天板素子の前記側板の高さ寸法よりも大きな外径を有し、第１天板素子の裏面側の天板の幅方向両端部で、天板の長手方向一端部に、展開状態と折りたたみ状態の間で天板の長手方向に回動可能に連結された上端部をそれぞれ備える１対の第１脚部素子を備える。
【００１５】
第２脚部は、第２天板素子の前記側板の高さ寸法よりも大きな外径を有し、第２天板素子の裏面側の天板の長手方向他端部で、天板の幅方向一端部に、展開状態と折りたたみ状態の間で天板の幅方向に回動可能に連結された上端部を備える第２脚部素子を備える。
【００１６】
第３脚部は、第３天板素子の前記側板の高さ寸法よりも大きな外径を有し、第３天板素子の裏面側の天板の長手方向一端部で、天板の幅方向他端部に、展開状態と折りたたみ状態の間で天板の幅方向に回動可能に連結された上端部を備える第３脚部素子を備える。
【００１７】
第４脚部は、第４天板素子の前記側板の高さ寸法よりも大きな外径を有し、第４天板素子の裏面側の天板の幅方向両端部で、天板の長手方向他端部に、展開状態と折りたたみ状態の間で天板の長手方向に回動可能に連結された上端部をそれぞれ備える１対の第４脚部素子を備える。
【００１８】
このような構成により、本発明の折り畳みテーブルは、折り畳まれた状態で、第１脚部素子と第２脚部素子とが干渉することがなく、第３脚部素子と第４脚部素子とが干渉することがなく、第１脚部素子ないし第４脚部素子が、第１天板素子と第２天板素子の裏面側の側板で囲まれる空間内および第３天板素子と第４天板素子の裏面側の側板で囲まれる空間内のいずれかにそれぞれ収納可能となっている。
【００１９】
本発明において、第１脚部ないし第４脚部の第１天板素子ないし第４天板素子への連結構造は任意であるが、
第１脚部を構成する前記１対の第１脚部素子のそれぞれの上端部は、第１天板素子の幅方向側板の内側面の天板の長手方向一端部に連結され、
第２脚部を構成する第２脚部素子の上端部は、第２天板素子の長手方向他端側の前記長手方向側板の内側面の天板の幅方向一端部に連結され、
第３脚部を構成する第３脚部素子の上端部は、第３天板素子の長手方向一端側の前記長手方向側板の内側面の天板の幅方向他端部に連結され、かつ、
第４脚部を構成する前記１対の第４天板素子のそれぞれの上端部は、第４天板素子の幅方向側板の内側面の天板の長手方向他端部に連結されている、
ことが好ましい。
【００２０】
さらに、本発明の折り畳みテーブルにおいて、
第２脚部素子の上端部は、折り畳まれた状態で、第２天板素子の幅方向一端側の幅方向側板の内側面からオフセットして配置され、天板の幅方向一端側に配置された第１脚部素子の下端部は、折り畳まれた状態で、第２天板素子の幅方向一端側の幅方向側板の内側面と第２脚部素子の上端部との間に挿入可能に構成され、
第３脚部素子の上端部は、折り畳まれた状態で、第３天板素子の幅方向他端側の幅方向側板の内側面からオフセットして配置され、天板の幅方向他端側に配置された第４脚部素子の下端部は、折り畳まれた状態で、第３天板素子の幅方向他端部の幅方向側板の内側面と第３脚部素子の上端部との間に挿入可能に構成されている、
ことが好ましい。
【００２１】
また、本発明の折り畳みテーブルにおいて、
第１脚部は、前記１対の第１脚部素子のそれぞれの中間部と、第１天板素子の裏面の長手方向一端部の幅方向中央部とを連結し、かつ、第１脚部素子とともに回動可能に固定されている、１対の第１補強部材をさらに備え、
第４脚部は、前記１対の第４脚部素子のそれぞれの中間部と、第４天板素子の裏面の長手方向他端部の幅方向中央部とを連結し、かつ、第４脚部素子とともに回動可能に結合されている、１対の第４補強部材をさらに備え、
第１脚部素子の上端部および第１補強部材の前記幅方向中央部側の結合部は、折り畳まれた状態で、第１天板素子の長手方向一端側の長手方向側板の内側面からオフセットして配置され、第２脚部素子の径方向一部は、折り畳まれた状態で、第１天板素子の長手方向一端側の長手方向側板の内側面と、第１脚部素子の上端部および第１補強部材の前記幅方向中央部側の結合部との間に入り込むことが可能に、かつ、
第４脚部素子の上端部および第４補強部材の前記幅方向中央部側の結合部は、折り畳まれた状態で、第４天板素子の長手方向他端側の長手方向側板の内側面からオフセットして配置され、第３脚部素子の径方向一部は、折り畳まれた状態で、第４天板素子の長手方向他端側の長手方向側板の内側面と、第４脚部素子の上端部および第４補強部材の前記幅方向中央部側の結合部との間に入り込むことが可能に構成されている、
ことが好ましい。
【発明の効果】
【００２２】
本発明により、四つ折りの折り畳みテーブルにおいて、脚部構造の外径を剛性を十分に得られる程度に大きくしながら、折り畳み時に、脚部構造が、それぞれの天板素子の裏面側の側板で囲まれる空間内に、相互に干渉することなく収納することが可能となる。
【図面の簡単な説明】
【００２３】
【図１】図１は、本発明の実施の形態の１例を示す、折り畳みテーブルの展開状態の斜視図である。
【図２】図２は、図１に示した折り畳みテーブルの展開状態を示す正面図である。
【図３】図３は、図１に示した折り畳みテーブルの脚構造を折り畳んだ状態を示す底面図である。
【図４】図４は、図１に示した折り畳みテーブルの天板素子を完全に折り畳んだ状態を示す斜視図である。
【図５】図５は、図４のａ―ａ断面図である。
【図６】図６（Ａ）〜（Ｃ）は、従来構造の折り畳みテーブルを示す斜視図であり、図６（Ａ）は、その天板素子を完全に折り畳んだ状態を示し、図６（Ｂ）は、その展開状態を示し、図６（Ｃ）は、脚構造を折り畳んだ状態をそれぞれ示す。
【発明を実施するための形態】
【００２４】
［実施の形態の１例］
図１〜図５は、本発明の実施の形態の１例を示している。本発明の折り畳みテーブルは、直列に配置された矩形板状で４つの天板素子１〜４からなる天板と、これらの天板素子１〜４にそれぞれ備えられた４つの脚構造３１〜３４とを備える。
【００２５】
４つの天板素子１〜４のそれぞれは、天板の長手方向および幅方向において実質的に同じ寸法を有する。本例では、使用時の安全性を考慮して、第１天板素子の一端側のコーナー部と、第４天板素子の他端側のコーナー部とは、Ｒ形状を有するが、その他はすべての天板素子が実質的に同じ矩形板状となっている。また、天板素子１〜４のそれぞれの裏面にはその周囲を囲むように、側板１１〜１４が形成されている。より具体的には、天板素子１〜４のそれぞれの天板の長手方向の両端部には、１対の長手方向側板１１ａ〜１４ａが設けられており、また、天板素子１〜４のそれぞれの天板の幅方向の両端部には、長手方向側板１１ａ〜１４ａと同一の高さ寸法を有する１対の幅方向側板１１ｂ〜１４ｂが設けられている。なお、天板素子の材質は従来と同様であり、任意であるが、通常は、天板部分は合成樹脂製やアルミニウムなどの軽合金製の材料により構成され、側板や天板の補強部材は、アルミニウムなどの軽合金製やカーボン製の材料により構成される。
【００２６】
４つの天板素子１〜４のうち、第１天板素子１と第２天板素子２とは、それぞれ互いの表面同士が同一面上に存在する状態と、互いの裏面同士が対向した状態とを移行可能に第１ヒンジ５により連結されている。同様に、第３天板素子３と第４天板素子４とは、それぞれ互いの表面同士が同一面上に存在する状態と、互いの裏面同士が対向した状態とを移行可能に、同様の第１ヒンジ５により連結されている。なお、折り畳み状態で、第１天板素子１の側板１１と第２天板素子２の側板１２の先端部が周方向にわたって実質的に当接ないしは近接対向するように、第１ヒンジ５の取付位置は設定される。
【００２７】
また、第２天板素子２と第３天板素子３とは、互いの表面同士が同一面上に存在する状態で、かつ、第１天板素子１および第２天板素子２の裏面同士および第３天板素子３および第４天板素子４の裏面同士が対向するように折り畳まれた状態から、第１天板素子１の表面と第４天板素子４の表面とが対向するように折り畳まれた状態に移行可能に第２ヒンジ６により連結されている。第２ヒンジの取付位置についても、折り畳み状態で、第１天板素子１の表面と第４天板素子４の表面が近接対向し、その周囲部分が実質的に当接ないしは近接対向するように設定される。
【００２８】
４つの脚構造３１〜３４のうち、第１脚部３１は、第１天板素子１の側板１１の高さ寸法（第１天板素子１の裏面から側板１１の端縁部までの距離）よりも大きな外径を有し、第１天板素子１の裏面側の天板の幅方向両端部で、天板の長手方向一端部に、展開状態と折りたたみ状態の間で天板の長手方向に回動可能に連結された上端部をそれぞれ備える１対の第１脚部素子３１ａを備える。
【００２９】
より具体的には、第１脚部３１を構成する１対の第１脚部素子３１ａのそれぞれの上端部は、第１天板素子１の幅方向側板１１ｂの内側面の天板の長手方向一端部に連結される。また、第１脚部３１ａの中間部と第１天板素子１の幅方向側板１１ｂの内側面の天板の長手方向中間部との間には、ハサミ状に折り畳み状態と展開状態とに移行加工に回動可能に取り付けられた２つの部材からなる第１リンク部材３１ｂが設けられており、展開時に、第１脚部素子３１ａが直立状態を保持できるようになっている。
【００３０】
また、第１脚部３１は、１対の第１脚部素子３１ａのそれぞれの中間部と、第１天板素子１の裏面の長手方向一端部の幅方向中央部とを連結し、かつ、第１脚部素子３１ａとともに回動可能に固定されている、１対の第１補強部材３１ｂをさらに備えている。
【００３１】
第２脚部３２は、第２天板素子２の側板１２の高さ寸法よりも大きな外径を有し、第２天板素子２の裏面側の天板の長手方向他端部で、天板の幅方向一端部に、展開状態と折りたたみ状態の間で天板の幅方向に回動可能に連結された上端部を備える第２脚部素子３２ａを備える。
【００３２】
より具体的には、第２脚部３２を構成する第２脚部素子３２ａの上端部は、第２天板素子２の長手方向他端側の長手方向側板１２ａの内側面の天板の幅方向一端部に連結される。また、第２脚部３２ａの中間部と第２天板素子２の長手方向他端側の長手方向側板１２ａの内側面の天板の幅方向中間部との間には、第１リンク部材３１ｂと同様の第２リンク部材３２ｂが設けられている。さらに、第２脚部３２は、第２脚部素子３２ａの中間部と、第２天板素子２の裏面の長手方向一端部の幅方向一端部とを連結し、かつ、第２脚部素子３２ａとともに回動可能に固定されている、第２補強部材３２ｃを備えている。
【００３３】
第３脚部３３は、第３天板素子３の側板１３の高さ寸法よりも大きな外径を有し、第３天板素子３の裏面側の天板の長手方向一端部で、天板の幅方向他端部に、展開状態と折りたたみ状態の間で天板の幅方向に回動可能に連結された上端部を備える第３脚部素子３３ａを備える。
【００３４】
同様に、第３脚部３３を構成する第３脚部素子３３ａの上端部は、第３天板素子３の長手方向一端側の長手方向側板１３ａの内側面の天板の幅方向他端部に連結される。また、第３脚部３３ａの中間部と第３天板素子３の長手方向一端側の長手方向側板１３ａの内側面の天板の幅方向中間部との間には、第１リンク部材３１ｂと同様の第３リンク部材３３ｂが設けられている。さらに、第３脚部３３は、第３脚部素子３３ａの中間部と、第３天板素子３の裏面の長手方向他端部の幅方向他端部とを連結し、かつ、第３脚部素子３３ａとともに回動可能に固定されている、第３補強部材３３ｃを備えている。
【００３５】
第４脚部３４は、第４天板素子４の側板１４の高さ寸法よりも大きな外径を有し、第４天板素子４の裏面側の天板の幅方向両端部で、天板の長手方向他端部に、展開状態と折りたたみ状態の間で天板の長手方向に回動可能に連結された上端部をそれぞれ備える１対の第４脚部素子３４ａを備える。
【００３６】
同様に、第４脚部３４を構成する１対の第４脚部素子３４ａのそれぞれの上端部は、第４天板素子４の幅方向側板１４ｂの内側面の天板の長手方向他端部に連結される。また、第４脚部３４ａの中間部と第４天板素子４の幅方向側板１４ｂの内側面の天板の長手方向中間部との間には、第１リンク部材３１ｂと同様の第４リンク部材３４ｂが設けられている。さらに、第４脚部３４は、１対の第４脚部素子３４ａのそれぞれの中間部と、第４天板素子４の裏面の長手方向他端部の幅方向中央部とを連結し、かつ、第４脚部素子３４ａとともに回動可能に固定されている、１対の第４補強部材３４ｃをさらに備えている。
【００３７】
なお、本例では、１対の第１脚部素子３１ａはそれぞれ独立に移動可能であり、また、１対の第４脚部素子３４ａもそれぞれ独立に移動可能である。ただし、第１脚部３１および第４脚部３４をそれぞれ一体で構成することも可能である。また、脚構造の材質は従来と同様であり、任意であるが、通常は、台座などの樹脂部分を除き、アルミニウムなどの軽合金製やカーボン製の材料により構成される。
【００３８】
本例において、図３に示されるように、第２脚部素子３２ａの上端部は、折り畳まれた状態で、第２天板素子２の幅方向一端側の幅方向側板１２ａの内側面からオフセットして配置され、天板の幅方向一端側に配置された第１脚部素子３１ａの下端部は、折り畳まれた状態で、第２天板素子２の幅方向一端側の幅方向側板１２ａの内側面と第２脚部素子３２ａの上端部との間に挿入可能に構成されている。
【００３９】
また、第３脚部素子３３ａの上端部は、折り畳まれた状態で、第３天板素子３の幅方向他端側の幅方向側板１３ａの内側面からオフセットして配置され、天板の幅方向他端側に配置された第４脚部素子３４ａの下端部は、折り畳まれた状態で、第３天板素子３の幅方向他端部の幅方向側板１３ａの内側面と第３脚部素子３３ａの上端部との間に挿入可能に構成されている。
【００４０】
さらに、本例では、第１脚部素子３１ａの上端部および第１補強部材３１ｃの幅方向中央部側の結合部は、折り畳まれた状態で、第１天板素子１の長手方向一端側の長手方向側板１１ｂの内側面からオフセットして配置され、第２脚部素子３２ａの径方向一部は、折り畳まれた状態で、第１天板素子３１ａの長手方向一端側の長手方向側板１１ｂの内側面と、第１脚部素子３１ａの上端部および第１補強部材３１ｃの幅方向中央部側の結合部との間に入り込むことが可能になっている。
【００４１】
同様に、第４脚部素子３４ａの上端部および第４補強部材３４ｃの幅方向中央部側の結合部は、折り畳まれた状態で、第４天板素子４の長手方向他端側の長手方向側板１４ｂの内側面からオフセットして配置され、第３脚部素子３３ａの径方向一部は、折り畳まれた状態で、第４天板素子４の長手方向他端側の長手方向側板１４ｂの内側面と、第４脚部素子３４ａの上端部および第４補強部材３４ｃの幅方向中央部側の結合部との間に入り込むことが可能に構成されている。
【００４２】
以上のような構成により、本例では、脚構造３１〜３４を構成するそれぞれの脚部素子３１ａ〜３４ａの外径が、天板素子１〜４の裏面の周囲に形成された側板１１〜１４の高さ寸法よりも十分に大きいにもかかわらず、また、脚構造３１〜３４のそれぞれが脚部素子３１ａ〜３４ａを補強するに十分な大きさを有する補強部材３１ｃ〜３４ｃを備えるにもかかわらず、テーブルが折り畳まれた状態で、第１脚部素子３１ａを含む第１脚構造３１と第２脚部素子３２ａを含む第２脚構造３２とが干渉することがなく、第３脚部素子３３ａを含む第３脚構造３３と第４脚部素子３４ａを含む第４脚構造３４とが干渉することがなく、それぞれの天板素子１〜４の周囲に設置された側板１１〜１４に囲まれた空間内に収納することが可能である。
【００４３】
なお、脚部素子３１ａ〜３４ａの外径（Ｄ）は、天板素子１〜４の側板１１〜１４の高さ寸法（Ｈ）よりも大きく、かつ、２倍未満、１．８５倍程度以下、好ましくは１．５倍程度以下の寸法に設定可能である（１Ｈ＜Ｄ＜１．８５Ｈ）。本発明は、具体的なテーブルの形状や大きさに制限されることはないが、参考のために記すと、一例として、天板素子１〜４の天板の長手方向の長さ（幅方向側板１１ａ〜１４ａに沿った長さ）が４５ｃｍ、天板素子１〜４の天板の幅方向の長さ（長手方向側板１１ｂ〜１４ｂに沿った長さ）が８０ｃｍ、天板素子１〜４の幅が２５ｍｍ、側板の高さ寸法（Ｈ）が１５ｍｍ、脚部素子３１ａ〜３４ａの外径（Ｄ）が２０ｍｍにそれぞれ設定可能である。従来の脚部素子の外径が側板の高さ寸法（Ｈ）よりも小さい寸法を採用せざるを得なかったことと比較すると、本発明により顕著な効果が得られていることが理解される。なお、脚部素子３１ａ〜３４ａは、２つの部材を連結して、高さを調整可能にできる。また、テレスコピック構造を採用することもできる。
【符号の説明】
【００４４】
１  第１天板素子
２  第２天板素子
３  第３天板素子
４  第４天板素子
５  第１ヒンジ
６  第２ヒンジ
７  ハンドル
８  固定用金具
１１  第１側板
１１ａ  第１幅方向側板
１１ｂ  第１長手方向側板
１２  第２側板
１２ａ  第２幅方向側板
１２ｂ  第２長手方向側板
１３  第３側板
１３ａ  第３幅方向側板
１３ｂ  第３長手方向側板
１４  第４側板
１４ａ  第４幅方向側板
１４ｂ  第４長手方向側板
２１  第１脚構造
２１ａ  第１脚部素子
２２  第２脚構造
２２ａ  第２脚部素子
２４  第４脚構造
２４ａ  第４脚部素子
３１  第１脚構造
３１ａ  第１脚部素子
３１ｂ  第１リンク部材
３１ｃ  第１補強部材
３２  第２脚構造
３２ａ  第２脚部素子
３２ｂ  第２リンク部材
３２ｃ  第２補強部材
３３  第３脚構造
３３ａ  第３脚部素子
３３ｂ  第２リンク部材
３３ｃ  第３補強部材
３４  第４脚構造
３４ａ  第４脚部素子
３４ｂ  第４リンク部材
３４ｃ  第４補強部材
【図１】
2015053992.tif 000003
【図２】
2015053992.tif 000004
【図３】
2015053992.tif 000005
【図４】
2015053992.tif 000006
【図５】
2015053992.tif 000007
【図６】
2015053992.tif 000008